(57)【特許請求の範囲】
【請求項１】
下面が清掃開口となって機体に一体に装着された主ケーシング内に配設された回転ブラシと、ハンマー軸に多数のハンマーナイフが取付けられて、前記主ケーシング内において前記回転ブラシの前方に配設されたハンマーナイフ回転体と、前記主ケーシング内に吸引気流を発生させるために、その上部に接続して装着されたブロワー装置とを備え、
牽引車により牽引走行されながら、前記ハンマーナイフ回転体の高速アッパー回転により地表面に散在している枝条類を破砕すると共に、前記回転ブラシの同様の回転により、破砕ゴミを含むゴミ類を上方に掬い上げて、前記ブロワー装置の吸引力により、枝条類の破砕片とゴミ類とを一緒にして、可撓ダクトを介して牽引車のゴミ収容箱内に回収する構成の地表面清掃機であって、
前記ブロワー装置は、回転円板の前面に複数枚のブロワー羽根が取付けられた構成であって、該回転円板の背面側に可動刃が取付けられ、ブロワーケーシングにおける前記回転円板と相対向する部分に枝条投入口が設けられて、該投入口の周縁に前記可動刃と対をなす固定刃が取付けられ、
ブロワー装置によって高速回転する前記可動刃と前記固定刃とによって、投入ホッパーを介して前記枝条投入口からブロワーケーシング内に投入された枝条類を破砕するように構成したことを特徴とする地表面清掃機。
【請求項２】
下面が清掃開口となって機体に一体に装着された主ケーシング内に配設された回転ブラシと、前記ケーシング内に吸引気流を発生させるために、その上部に接続して装着されたブロワー装置とを備え、
牽引車により牽引走行されながら、前記回転ブラシの高速アッパー回転により、ゴミ類を上方に掬い上げて、前記ブロワー装置の吸引力により、可撓ダクトを介して牽引車のゴミ収容箱内に回収する構成の地表面清掃機であって、
前記主ケーシングにおける前記ブロワー装置との接続部に設けられた気流切換室と、枝条類、ゴミ類を吸引するための吸引ホースを連結するために前記気流切換室に設けられたホース連結筒と、前記ブロワー装置の吸引気流が前記ホース連結筒と前記主ケーシングの下面の清掃開口とのいずれか一方に及ぶように、その方向を切り換えるために前記気流切換室に内装されたダンパー板とを備え、
機体を停止状態にして、前記ダンパー板により前記吸引気流を吸引ホースの側のみに及ぼして、該吸引ホースの先端部で吸引したゴミ類を前記ゴミ収容箱内に回収可能にしたことを特徴とする地表面清掃機。
【請求項３】
主ケーシング内において前記回転ブラシの前方に配設されたハンマーナイフ回転体を備えていることを特徴とする請求項２に記載の地表面清掃機。
【発明の詳細な説明】
【０００１】
【発明の属する技術分野】
本発明は、牽引車により牽引走行されて、地表面に散在している樹木の枝条、葉等の枝条類を破砕して、その破砕片を他のゴミ類と一緒にして、前記牽引車に搭載されているゴミ収容箱内に吸引回収する構成の地表面清掃機に関し、更に詳しくは、清掃機に備え付けのハンマーナイフ回転体では破砕できない大きな枝条類の破砕を可能にしたり、或いは樹木等の障害物があって、清掃機が入り込めない部分の清掃を可能にした地表面清掃機に関する。
【０００２】
【従来の技術】
芝生面を清掃する芝生面清掃機の一つとして、機体に一体に装着されたケーシング内に回転ブラシが取付けられて、このケーシングの上方にブロワー装置が装着されて、牽引車によって牽引走行しながら、前記回転ブラシによって芝生面に散在しているゴミ類、或いは芝生内に喰い込んでいる枯草類を掻き出して、前記ブロワー装置により吸引すると共に、前記牽引車に搭載されている集草箱内に送り込んで、芝生面を清掃する構成のものがあり、ゴルフ場等の芝生面の清掃に多用されている。
【０００３】
上記構成の芝生面清掃機では、回転ブラシにより、芝生面に散在しているゴミ類、或いは芝生内に喰い込んでいる枯草類は掻き出されるが、周辺の樹木から折り取られた枝条、葉等の枝条類が芝生面に散在している様な場合には、この枝条類は、人手によって取り除く必要があって、前記芝生面清掃機のみでは、清掃の全てを行えない。
【０００４】
そこで、本出願人は、従来の芝生面清掃機において、ハンマー軸に多数のハンマーナイフが取付けられたハンマーナイフ回転体を回転ブラシと併用して、その前方に配設し、該ハンマーナイフ回転体により枝条類を破砕して、他のゴミ類と一緒に吸引可能にした地表面清掃機を開発して、平成年１０年１月２１日付で特許出願を行った。この地表面清掃機によれば、芝生面に限られず、一般の路面等における使用も可能であって、従来の清掃機では回収不能であった枝条類を破砕して回収可能にした点において画期的なものであるが、台風通過後等において路面等に散在している枝条類には、相当に大きなものもあって、前記ハンマーナイフ回転体の高速アッパー回転のみでは破砕できないものもある。また、上記地表面清掃機が走行できるのは、樹木等の障害物のない平坦な部分のみであって、樹木等の清掃機の障害物がある部分における清掃はできない。
【０００５】
【発明が解決しようとする課題】
本発明の第１の課題は、ハンマーナイフ回転体によって枝条類を破砕して回収可能な地表面清掃機において、該ハンマーナイフ回転体のみでは破砕不能な大きな枝条類の破砕を可能にすることであり、その第２の課題は、障害物があって清掃機が走行できない部分における清掃を可能にすることである。
【０００６】
【課題を解決するための手段】
第１の課題を解決するために本発明の採用した手段は、下面が清掃開口となって機体に一体に装着された主ケーシング内に配設された回転ブラシと、ハンマー軸に多数のハンマーナイフが取付けられて、前記主ケーシング内において前記回転ブラシの前方に配設されたハンマーナイフ回転体と、前記主ケーシング内に吸引気流を発生させるために、その上部に接続して装着されたブロワー装置とを備え、牽引車により牽引走行されながら、前記ハンマーナイフ回転体の高速アッパー回転により地表面に散在している枝条類を破砕すると共に、前記回転ブラシの同様の回転により、破砕ゴミを含むゴミ類を上方に掬い上げて、前記ブロワー装置の吸引力により、枝条類の破砕片とゴミ類とを一緒にして、可撓ダクトを介して牽引車のゴミ収容箱内に回収する構成の地表面清掃機において、前記ブロワー装置を、回転円板の前面に複数枚のブロワー羽根を取付けた構成にして、該回転円板の背面側に可動刃を取付け、ブロワーケーシングにおける前記回転円板と相対向する部分に枝条投入口を設けて、該投入口の周縁に前記可動刃と対をなす固定刃を取付けたことである。
【０００７】
ブロワー装置の回転円板の背面に取付けられた可動刃は、該ブロワー装置により高速回転して、投入ホッパーを介して枝条投入口からブロワーケーシング内に投入された枝条類は、高速回転している前記可動刃と、ブロワーケーシングに取付けられた固定刃とによって、該ブロワーケーシング内において破砕されて、そのまま送風圧力によって、ハンマーナイフ回転体により破砕された他の枝条類の破砕片、或いは他のゴミ類と一緒になって、可撓ダクトを介して牽引車に搭載されたゴミ収容箱内に送り込まれて回収される。このため、ハンマーナイフ回転体では破砕できない大きな枝条類の破砕が可能となる。
【０００８】
また、第２の課題を解決するために本発明の採用した手段は、下面が清掃開口となって機体に一体に装着された主ケーシング内に配設された回転ブラシと、前記ケーシング内に吸引気流を発生させるために、その上部に接続して装着されたブロワー装置とを備え、牽引車により牽引走行されながら、前記回転ブラシの高速アッパー回転により、ゴミ類を上方に掬い上げて、前記ブロワー装置の吸引力により、可撓ダクトを介して牽引車のゴミ収容箱内に回収する構成の地表面清掃機において、前記主ケーシングにおける前記ブロワー装置との接続部に設けられた気流切換室と、枝条類、ゴミ類を吸引するための吸引ホースを連結するために前記気流切換室に設けられたホース連結筒と、前記ブロワー装置の吸引気流が前記ホース連結筒と前記主ケーシングの下面の清掃開口とのいずれか一方に及ぶように、その方向を切り換えるために前記気流切換室に内装されたダンパー板とを具備したことである。
【０００９】
気流切換室に内装されたダンパー板の回動によって、ブロワー装置の高速回転により発生した吸引気流が主ケーシングの下面の清掃開口に及ぶのを防止して、該吸引気流を該ホース連結筒に連結された吸引ホースの側のみに及ぼすことができる。このため、機体を停止状態にして、吸引ホースの先端部で地表面に散在しているゴミ類を吸引すると、該ゴミ類は、前記ブロワー装置の部分を通ってゴミ収容箱内に送り込まれて回収される。
【００１０】
【発明の実施の形態】
以下、実施例を挙げて本発明を更に詳細に説明する。図１は、使用状態における本発明に係る地表面清掃機Ａを斜後方から見た斜視図であり、図２は、この地表面清掃機Ａを斜前方から見た斜視図であり、図３は、地表面清掃機Ａの側面図であり、図４は、同じく平面図であり、図５は、ハンマーナイフ回転体Ｈを主体に示す地表面清掃機Ａの正面図であり、図６は、地表面清掃機Ａの清掃作用の説明図であり、図７は、図６のハンマーナイフ回転体Ｈの部分の拡大図である。本発明に係る地表面清掃機Ａは、牽引車Ｐ（実施例では小型トラック）により牽引されて走行して、芝生面等の地表面に散在している枝条類を小片に破砕して、他のゴミ類と一緒に吸引回収したり、或いは機体１を停止させた状態において、吸引ホースＶを使用して、樹木等の障害物があって、清掃機が入り込むことのできない部分の清掃を行うものであって、フレーム状の機体１に、回転ブラシＢ、ハンマーナイフ回転体Ｈ及びブロワー装置Ｃとが装着されている。
【００１１】
図１ないし図４に示されるように、フレーム状の機体１の前部両端には、一対の前輪２が該機体１に対する取付高さが調整可能となって取付けられている。即ち、下端部に前輪２が取付けられている前輪支持体３のロッド３ａが、機体１の前部両端に設けられたガイド筒４に挿通されて、連結ピン（図示せず）を介してガイド筒４に対して前輪支持体３のロッド３ａが連結されており、ガイド筒４に対するロッド３ａの連結位置を調整することにより、機体１に対する前輪２の高さが定められる。また、機体１の前後方向の中央部からやや後方の部分の両端部には、一対の後輪５が取付けられている。
【００１２】
図３及び図４に示されているように、機体１の後部には、回動軸６が回動可能になって該機体１の幅方向に沿って支持され、該回動軸６の両端部に前方に向けて後輪取付アーム７がそれぞれ一体に固着されて、各後輪取付アーム７に前記後輪５が取付けられている。機体１の後端部のブラケット８には、調整パイプ９が回動可能に支持されていて、該調整パイプ９の先端部には、引きパイプ１１の一部が挿通されて、該引きパイプ１１は、回転ハンドル１２により前記調整パイプ９に内装されたねじロッド（図示せず）を回転させることにより、調整パイプ９に対して出入りする構成になっている。また、引きパイプ１１の先端部は、前記回動軸６に固着されたブラケット１３に連結されている。このため、図８に示されるように、回転ハンドル１２の回転により、調整パイプ９に対して引きパイプ１１を出入りさせると、回動軸６が回動されて、その両端部に後輪取付アーム７を介して取付けられている各後輪５が、機体１に対して昇降して、その高さが調整される構造になっている。なお、図８において、二点鎖線で示される状態は、機体１に対して後輪５が下がった非作業状態を示し、一点鎖線で示される状態は、機体１に対して後輪５が上がった作業状態を示す。
【００１３】
また、図３、図４及び図６に示されるように、機体１には、下面が清掃開口となった主ケーシング１４が取付けられている。この主ケーシング１４は、機体１の上部に大きく突出した形状となっていて、その幅方向の中央部は、最も高い位置に設けられて、ブロワー装置Ｃにより発生された吸引気流が及ぶ方向を切り換えるための気流切換室２０となっている。
【００１４】
また、図６に示されるように、前記主ケーシング１４内における前記後輪５の直前の部分には、回転ブラシＢが配設されて、そのブラシ軸１０の両端部が機体１の幅方向の両端の側枠材１ａから垂設された支持板（図示せず）に支持され、主ケーシング１４内における回転ブラシＢの直前には、ハンマーナイフ回転体Ｈが配設されている。回転ブラシＢは、ブラシ軸１０に多数のブラシ毛１６が軸方向の全長に亘って放射方向に取付けられ、その高速アッパー回転により芝生面に散在しているゴミ類を上方に掬い上げたり、或いは芝生内に喰い込んでいる枯草類を掻き出して上方に掬い上げたりする構成である。一方、ハンマーナイフ回転体Ｈは、図５ないし図７に示されるように、そのハンマー軸１７の両端部が機体１の前記側枠材１ａに垂設された支持板１８に支持されて、該ハンマー軸１７に軸方向に沿って所定間隔をおいて円板状をした多数のナイフ取付板１９が固着され、各ナイフ取付板１９にそれぞれ複数のハンマーナイフ２１が取付けられた構成である。このハンマーナイフ２１は、その基端部が連結ピン２２を介してナイフ取付板１９に回動可能に連結され、ハンマー軸１７の高速アッパー回転による遠心力により放射方向を向くと共に、樹木の枝条類Ｓ（図１及び図６参照）に衝突すると、図７で２点鎖線で示されるように、ナイフ取付板１９に対してハンマーナイフ２１が回動して、該枝条類Ｓを衝撃力により破砕する構成である。
【００１５】
また、ブロワー装置Ｃは、ブロワーケーシング１５内に水平回転軸２４を中心に回転するブロワー羽根２５が配設され、該ブロワー羽根２５の回転により、前記主ケーシング１４内、又は後述のホース連結パイプ４５に連結された吸引ホースＶ内のいずれか一方に吸引気流を生じさせると同時に、ブロワーケーシング１５の上部に接続されたブロワー側連結パイプ２６（図１及び図２参照）内に送風気流を生じさせる構成である。前記ブロワー側連結パイプ２６は、機体１の前方に向けてわん曲されている。
【００１６】
また、図３及び図４に示されるように、機体１の前枠材１ｂの中央部には、前方に向けて被牽引ブラケット２７が設けられ、該被牽引ブラケット２７に牽引棹２８の基端部が連結ピン２９を介して連結されて、該牽引棹２８の先端部は、使用状態においてほぼ水平となるようにわん曲された連結部２８ａとなっており、該牽引棹２８は、その先端の連結部２８ａの部分において、小型トラックから成る牽引車Ｐの後部に装着された連結具Ｄに連結される。この連結具Ｄは、図９に示されるように、牽引車Ｐの荷台３０の後板３０ａに固定具３１及び固定バー３２を介して固定される。そして、前記牽引棹２８の連結部２８ａに設けられた連結環２８ｂが連結ピン４０を介して前記連結具Ｄに連結される。連結具Ｄに対する牽引棹２８の連結状態においては、該牽引棹２８は、上下及び左右に自在に回動し得るため、旋回時、或いは傾斜地走行時においても、清掃機Ａは、支障なく牽引される。これにより、地表面清掃機Ａは、その機体１が一対の前輪２と一対の後輪５とで支持された状態で、牽引車Ｐに牽引されて芝生面等を走行する。また、図１に示されるように、牽引車Ｐである小型トラックの荷台３０には、幌状のゴミ収容箱３３が搭載されていて、該ゴミ収容箱３３の後面には、収容箱側連結パイプ３４が取付けられていて、該収容箱側連結パイプ３４と、ブロワーケーシング１５に連結された前記ブロワー側連結パイプ２６とは、可撓ダクト３５を介して連結されている。
【００１７】
次に、図１０ないし図１３を参照にして、上記ブロワー装置Ｃの構成について更に詳細に説明する。前記水平回転軸２４は、ブロワーケーシング１５の背面側に固着された軸受ハウジング３６に軸受３７を介して支持されていて、その先端部は、ブロワーケーシング１５内に入り込んでいる。水平回転軸２４におけるブロワーケーシング１５内に入り込んでいる部分に回転円板３８が取付けられて、該回転円板３８の前面に複数枚のブロワー羽根２５が取付けられている。また、図１２及び図１３に示されるように、回転円板３８の背面側には、該回転円板３８の回転中心に対して対称の位置に一対の可動刃３９がほぼ半径方向に沿って取付けられ、ブロワーケーシング１５における回転円板３８と対向する部分には、枝条投入口４１がほぼ水平に設けられて、該投入口４１の下端縁に前記可動刃３９と対をなす固定刃４２がほぼ水平に取付けられている。また、ブロワーケーシング１５の背面側には、前記枝条投入口４１に枝条類Ｓを投入し易くするための投入ホッパー４３が設けられている。また、回転円板３８における可動刃３９の直下の部分には、枝条類Ｓの破砕片Ｓａを回転円板３８の前面側に放出するための放出孔４４が設けられている。このため、前記ハンマーナイフ回転体Ｈでは破砕されない程の大きな枝条類Ｓは、前記投入ホッパー４３から投入して、可動刃３９と固定刃４２との剪断作用により小片に破砕する。即ち、投入ホッパー４３から投入された枝条類Ｓが枝条投入口４１の部分に達すると、該枝条類Ｓは、高速回転している前記可動刃３９と、ブロワーケーシング１５に固定されている固定刃４２との剪断作用によって小片に破砕され、その破砕片Ｓａは、前記放出孔４４を通って、回転円板３８の前面のブロワー羽根２５が配設されている空間部に放出される。
【００１８】
また、図６に示されるように、主ケーシング１４の上端部の気流切換室２０の前面には、吸引ホースＶを連結するためのホース連結パイプ４５が設けられていると共に、前記気流切換室２０の内部には、ダンパー板４６が回動可能に設けられていて、該ダンパー板４６により気流切換室２０の前面開口２０ａを閉塞すると、主ケーシング１４内に吸引気流が及び、該ダンパー板４６により気流切換室２０の底面開口２０ｂを閉塞すると、ホース連結パイプ４５に連結された吸引ホースＶの部分に吸引気流が及ぶようになっている。即ち、図１４及び図１５に詳細に図示されているように、ダンパー板４６の下端部は、回動ロッド４７に固着されていて、該回動ロッド４７は、主ケーシング１４の上端の気流切換室２０の部分に支持されていて、その両端部は、該気流切換室２０の両側に大きく突出していて、各突出端には、それぞれＬ字形の操作ハンドル４８が固着されて、主ケーシング１４の気流切換室２０に内装された前記ダンパー板４６の回動操作を行い易くしてある。なお、図１４及び図１５において、４９は、ダンパー板４６による気流切換室２０の前面開口２０ａ又は底面開口２０ｂのいずれか一方の閉塞状態を保持するための引張スプリングを示す。
【００１９】
また、機体１の後部には、エンジンＥが搭載され、その動力によって、該機体１に装着されている前記回転ブラシＢ、ハンマーナイフ回転体Ｈ及びブロワー装置Ｃが駆動され、この駆動系統について簡単に説明する。図１６及び図１７において、エンジンＥの駆動軸５１は、機体１の幅方向に沿っていて、該駆動軸５１に２つのプーリー５２，５３が取付けられ、ブロワー装置Ｃの背面側に設置されたベベルギアー装置５４の一方のベベルギアー５５のギアー軸５５ａにプーリー５６が取付けられ、該プーリー５６と前記プーリー５２との間にベルト５７が掛装されて、ベベルギアー装置５４の他方のベベルギアー５８のギアー軸５８ａが、ブロワー装置Ｃの水平回転軸２４となっていて、該水平回転軸２４に前記回転円板３８が取付けられ、エンジンＥの動力が上記伝達経路を経て、前記ベベルギアー５８に伝達されて、前記回転円板３８の前面に取付けられたブロワー羽根２５が高速回転する。
【００２０】
また、機体１には、中間軸５９がその幅方向に設けられて、該中間軸５９の一端に取付けられたプーリー６１と、前記駆動軸５１に取付けられた他方のプーリー５３との間にベルト６２が掛装されている。また、中間軸５９の他端には、２つのプーリー６３，６４がそれぞれ取付けられ、回転ブラシＢのブラシ軸１０に取付けられたプーリー６５と、前記プーリー６３との間にベルト６６が掛装されていると共に、ハンマーナイフ回転体Ｈのハンマー軸１７に取付けられたプーリー６７と、前記プーリー６４との間にベルト６８が掛装され、エンジンＥの動力が中間軸５９を介して回転ブラシＢ及びハンマーナイフ回転体Ｈに伝達されて、これらが高速アッパー回転する。
【００２１】
また、エンジンＥの動力をベベルギアー装置５４及び中間軸５９に伝達するための各ベルト５７，６２は、それぞれ第１及び第２の各テンションローラ６９，７１によってテンションが加えられて、動力伝達可能になっていて、第１及び第２の各テンションローラ６９，７１は、第１及び第２の各クラッチ７２，７３により移動させられて、動力の伝達、及びその遮断が行われる構成になっている。図１８ないし図２２を参照にして、第１及び第２の各クラッチ７２，７３によって、動力の伝達、及びその遮断が行われる機構について簡単に説明する。第１及び第２の各クラッチ７２，７３は、軸心が同一で、互いに分離されて独立回動可能な第１及び第２の各操作軸７４ａ，７４ｂに一体に取付けられている。第１テンションローラ軸７５と中間軸７６とは、前記第１及び第２の各操作軸７４ａ，７４ｂと同一構造になっていて、軸心が同一で、互いに分離されて独立回動可能になっていて、第１操作軸７４ａと第１テンションローラ軸７５とは、リンク７７を介して連結されていると共に、第２操作軸７４ｂと中間軸７６とは、リンク７８を介して連結されている。また、中間軸７６と第２テンションローラ軸７９とは、リンク８１を介して連結されている。第１及び第２の各テンションローラ軸７５，７９に、それぞれ第１及び第２の各テンションローラ６９，７１が取付けられている。
【００２２】
よって、第１及び第２の各クラッチ７２，７３がいずれも「ＯＦＦ」の場合には、図１９に示されるように、第１及び第２の各テンションローラ６９，７１は、いずれもベルト５７，６２から離れていて、エンジンＥの動力は、ブロワー装置Ｃ及び回転ブラシＢのいずれの側にも伝達されない。また、第１クラッチ７２のみを「ＯＮ」にした場合には、図２０に示されるように、第１テンションローラ６９によりベルト５７のみに張力が与えられて、エンジンＥの動力は、ベルト５７を介してブロワー装置Ｃの水平回転軸２４にのみ伝達される。更に、第１及び第２の各クラッチ７２，７３の双方を「ＯＮ」にした場合には、図２１に示されるように、エンジンＥの動力は、ベルト５７を介してブロワー装置Ｃの水平回転軸２４に伝達されると同時に、ベルト６２を介して回転ブラシＢ及びハンマーナイフ回転体Ｈの双方に伝達される。
【００２３】
引き続いて、上記清掃機Ａを使用して、樹木の枝条類Ｓが散在している芝生面Ｌを清掃する作用について説明する。まず、上記した各方法によって、前輪２と後輪５とのそれぞれの機体１に対する高さ調整を行って、回転ブラシＢ及びハンマーナイフ回転体Ｈの芝生面Ｌからの最適な位置を選択する。この場合において、ハンマーナイフ回転体Ｈは、芝生面Ｌに散在している枝条類Ｓを破砕する機能を有し、回転ブラシＢは、芝生面Ｌの上に散在しているゴミ類、或いは芝生内に喰い込んでいる枯草類Ｕを上方に掬い上げる機能を有するために、図６に示されるように、回転ブラシＢは、そのブラシ毛１６が芝生内に入り込むようにする必要があり、ハンマーナイフ回転体Ｈは、そのハンマーナイフ２１の先端部が芝生の表層に接触する程度にする必要がある。このため、ハンマーナイフ回転体Ｈの最下部は、回転ブラシＢのそれよりも僅かに高くなる。
【００２４】
そして、芝生面Ｌに散在している枝条類Ｓを破砕しながら清掃する場合には、図６に示されるように、ダンパー板４６を起立させて、気流切換室２０の前面開口２０ａを閉塞して、その底面開口２０ｂを開口させておく。また、第１及び第２の各クラッチ７２，７３をいずれも「ＯＮ」にして、エンジンＥの動力をブロワー装置Ｃに伝達させて、そのブロワー羽根２５を高速回転させて、主ケーシング１４内に吸引気流を生じさせると同時に、ブロワー側連結パイプ２６の側に送風気流を生じさせると共に、その動力を回転ブラシＢ及びハンマーナイフ回転体Ｈに伝達させて、これらを高速アッパー回転させる。ここで、ハンマーナイフ回転体Ｈは、３１００ｒｐｍ  程度で回転して、その外周部の周速度は、５０ｍ／ｓｅｃ  程度が好ましい。一方、回転ブラシＢは、８００ｒｐｍ  程度で回転して、その外周部の周速度は、１３ｍ／ｓｅｃ  程度であることが好ましい。
【００２５】
そして、図１及び図６に示されるように、牽引車Ｐにより清掃機Ａを低速度で牽引走行させると、芝生面Ｌに散在している枝条類Ｓは、高速アッパー回転しているハンマーナイフ回転体Ｈの多数のハンマーナイフ２１が衝撃的に衝突することにより、小片に破砕されて、上方に持ち上げられる。このハンマーナイフ回転体Ｈと回転ブラシＢとは、いずれも吸引気流が及んでいる主ケーシング１４内に配設されているために、ハンマーナイフ２１により破砕された枝条類Ｓの破砕片Ｓａは、前記吸引気流により主ケーシング１４の上方に吸引されて、気流切換室２０及びブロワー装置Ｃの部分を通過した後に、送風気流によって、ブロワー側連結パイプ２６の側に送り込まれる。
【００２６】
一方、芝生面Ｌに散在している一般ゴミ類Ｔ、或いは芝生内に喰い込んでいる枯草類Ｕは、更には、ハンマーナイフ回転体Ｈの前記破砕作用により生じた破砕ゴミ等は、回転ブラシＢの高速アッパー回転によって上方に掬い上げられて、主ケーンシグ１４内に及んでいる吸引気流により上方に吸引されて、気流切換室２０及びブロワー装置Ｃの部分を通過した後に、送風気流によって、ブロワー側連結パイプ２６の側に送り込まれる。この回転ブラシＢによる芝生面Ｌの清掃作用と、ハンマーナイフ回転体Ｈによる枝条類Ｓの破砕作用とは、同時に行われるために、枝条類Ｓの破砕片Ｓａと、他のゴミ類とは、一緒になって主ケーシング１４の上方に吸引される。そして、ブロワー装置Ｃの送風気流によって、該ブロワー装置Ｃの部分を通過した枝条類Ｓの破砕片Ｓａ及び他のゴミ類は、可撓ダクト３５を通って、牽引車Ｐの荷台３０に搭載されたゴミ収容箱３３内に送り込まれて、収容される。
【００２７】
上記ハンマーナイフ回転体Ｈの高速アッパー回転によって、大部分の枝条類Ｓは、破砕されて破砕片Ｓａとなって、吸引回収されるが、特に大きな枝条類Ｓの場合には、ハンマーナイフ回転体Ｈの回転のみでは破砕されない場合がある。この場合には、図１に示されるように、作業者Ｍが大きな枝条類Ｓを芝生面Ｌから拾い上げて、ブロワーケーシング１５の背面側に固着された投入ホッパー４３に投入すると、枝条投入口４１の部分に達した枝条類Ｓは、高速回転している可動刃３９と、ブロワーケーシング１５に固定されている固定刃４２との剪断作用によって細かく破砕されて、回転円板３８における可動刃３９の直下に設けられた放出孔４４を通って、回転円板３８の前面側の空間部に放出される。このようにして、回転円板３８の前面の空間部に放出された枝条類Ｓの破砕片Ｓａは、多数枚のブロワー羽根２５の送風作用によって、ハンマーナイフ回転体Ｈにより破砕された他の破砕片Ｓａ及び他のゴミ類と一緒になって、ブロワー側連結パイプ２６の側に送り込まれて、牽引車Ｐに搭載されたゴミ収容箱３３内に収容される。
【００２８】
また、大きな樹木が生えている等して、清掃機が走行できない部分の清掃を行う場合には、図２２及び図２３に示されるように、機体１を停止させて、第１クラッチ７２のみを「ＯＮ」にして、エンジンＥの動力をブロワー装置Ｃの側のみに伝達させて、該ブロワー装置Ｃのみを作動させる。また、ダンパー板４６を倒して、気流切換室２０の底面開口２０ｂを閉塞して、その前面開口２０ａを開放させて、該ホース連結パイプ４５に吸引ホースＶの一端部を連結させる。これにより、ブロワー装置Ｃの吸引力は、吸引ホースＶの側のみに及んで、主ケーシング１４の側には、及ばない。そして、図２２に示されるように、作業者Ｍが吸引ホースＶの先端部を持って、該ホースＶの先端開口を地表面に当てがうと、当該部分に及んでいる吸引気流によって、地表面の一般ゴミ類ＴがホースＶ内に吸引される。ホースＶに吸引されたゴミ類Ｔは、ブロワー装置Ｃの部分まで吸引され、その後は、該ブロワー装置Ｃによる送風気流によって、可撓ダクト３５の部分を通って、牽引車Ｐに搭載されたゴミ収容箱３３内に収容される。
【００２９】
なお、地表面清掃機Ａの非作業時には、図９で二点鎖線で示されるように、回転ハンドル１２の操作によって、機体１に対する後輪５の高さを低くして、回転ブラシＢが地表面に接触しない状態で路面等を走行させる。
【００３０】
また、上記実施例は、ハンマーナイフ回転体Ｈを備えた地表面清掃機に吸引ホースＶを連結して、該清掃機が走行できない部分の清掃を可能にした例であるが、この吸引ホースＶを使用する場合には、回転ブラシのみを備えていて、ハンマーナイフ回転体Ｈを備えていない清掃機に吸引ホースＶを連結して、清掃機が走行できない部分の清掃を行うことも可能である。また、上記実施例では、周辺の樹木の枝条類Ｓが折り取られて散在している芝生面Ｌの清掃について説明したが、例えば、台風後において、路面に飛散している枝条類を破砕して、この路面の清掃を行う場合においても、利用可能であって、その用途は、地表面清掃機Ａが走行可能である限り、如何なる地表面の清掃もできる。
【００３１】
【発明の効果】
請求項１の発明に係る地表面清掃機によれば、備え付けのハンマーナイフ回転体では破砕できない大きな枝条類は、ブロワーケーシングの背面に装着された投入ホッパーから投入して、ブロワー装置の回転円板の背面側に取付けられて高速回転する回転刃と、ブロワーケーシングの背面側に前記回転刃と相対向して固定された固定刃とによる剪断作用により、小片に破砕されて、ハンマーナイフ回転体により破砕された他の枝条類の破砕片、或いは回転ブラシにより掬い上げられた一般ゴミ類と一緒になって、ブロワー装置の送風作用によって、可撓ダクトを介して牽引車に搭載されたゴミ収容箱に送り込まれて回収される。このため、枝条が散在している地表面の清掃を確実に行える。
【００３２】
請求項２の発明に係る地表面清掃機によれば、気流切換室に内装されたダンパー板の回動によって、ブロワー装置の吸引力を、気流切換室に連結された吸引ホースに及ぼして、該吸引ホースの先端開口において地表面に散在しているゴミ類を吸引回収できる。このため、樹木等の障害物があって、清掃機が走行できない部分の清掃を確実に行える。
【図面の簡単な説明】
【図１】使用状態における本発明に係る地表面清掃機Ａを斜後方から見た斜視図である。
【図２】地表面清掃機Ａを斜前方から見た斜視図である。
【図３】地表面清掃機Ａの側面図である。
【図４】同じく平面図である。
【図５】ハンマーナイフ回転体Ｈを主体に示す地表面清掃機Ａの正面図である。
【図６】清掃作用を示す地表面清掃機Ａの断面図である。
【図７】図６のハンマーナイフ回転体Ｈの部分の拡大図である。
【図８】機体１に対して後輪５が昇降する作用を示す図である。
【図９】地表面清掃機Ａの牽引棹２８の先端部を牽引車Ｐに連結している部分の拡大斜視図である。
【図１０】ブロワー装置Ｃの側面断面図である。
【図１１】同じく正面図である。
【図１２】同じく概略背面図である。
【図１３】図１２のＸ−Ｘ線拡大断面図である。
【図１４】主ケーシング１４の上端部の気流切換室２０の部分の拡大正面図である。
【図１５】同じく拡大側面図である。
【図１６】正面視における動力伝達系統図である。
【図１７】側面視における動力伝達系統図である。
【図１８】第１及び第２の各クラッチ７２，７３によってエンジンＥの動力が分岐される構造を示す模式的平面図である。
【図１９】第１及び第２の各クラッチ７２，７３がいずれも「ＯＦＦ」の状態の側面図である。
【図２０】第１のクラッチ７２のみが「ＯＮ」で、ブロワー装置Ｃのみに動力が伝達されている状態の側面図である。
【図２１】第１及び第２の各クラッチ７２，７３がいずれも「ＯＮ」で、ブロワー装置Ｃ、回転ブラシＢ及びハンマーナイフ回転体Ｈのいずれにも動力が伝達されている状態の側面図である。
【図２２】機体１が停止して、吸引ホースＶにより樹木の間のゴミ類を吸引回収している状態を示す全体斜視図である。
【図２３】同様の状態を示す清掃機Ａの断面図である。
【符号の説明】
Ａ：地表面清掃機
Ｂ：回転ブラシ
Ｃ：ブロワー装置
Ｈ：ハンマーナイフ回転体
Ｐ：牽引車
Ｓ：枝条類
Ｓａ：枝条類の破砕片
Ｔ：一般ゴミ類
Ｕ：枯草類
Ｖ：吸引ホース
１：機体
１４：主ケーシング
１５：ブロワーケーシング
１７：ハンマー軸
２０：気流切換室
２０ａ：前面開口
２０ｂ：底面開口
２５：ブロワー羽根
３３：ゴミ収容箱
３５：可撓ダクト
３８：回転円板
３９：可動刃
４１：枝条投入口
４２：固定刃
４３：投入ホッパー
４５：ホース連結パイプ
４６：ダンパー板
【図１】
0003585727.tif 000002
【図２】
0003585727.tif 000003
【図３】
0003585727.tif 000004
【図４】
0003585727.tif 000005
【図５】
0003585727.tif 000006
【図６】
0003585727.tif 000007
【図７】
0003585727.tif 000008
【図８】
0003585727.tif 000009
【図９】
0003585727.tif 000010
【図１０】
0003585727.tif 000011
【図１１】
0003585727.tif 000012
【図１２】
0003585727.tif 000013
【図１３】
0003585727.tif 000014
【図１４】
0003585727.tif 000015
【図１５】
0003585727.tif 000016
【図１６】
0003585727.tif 000017
【図１７】
0003585727.tif 000018
【図１８】
0003585727.tif 000019
【図１９】
0003585727.tif 000020
【図２０】
0003585727.tif 000021
【図２１】
0003585727.tif 000022
【図２２】
0003585727.tif 000023
【図２３】
0003585727.tif 000024